(57)【要約】【課題】  好ましい表示制御を行なうことができるデバイス情報表示装置を提供する。【解決手段】  ＰＣからの画面表示要求があったときに（Ｓ１０１でＹＥＳ）、ＰＣのディスプレイには、メニュー画面のフレームが表示される（Ｓ１０３）。メニュー内の特定の項目のデバイス情報の表示が許可されているかが判定され（Ｓ１０５）、ＹＥＳであれば、その特定の項目のデータを送信するデータとして準備する（Ｓ１０７）。そしてＰＣにおいて常に表示する項目のデータを送信するデータとして準備する（Ｓ１０９）。準備されたデータがＷｅｂサーバからＰＣへ送信され、ＰＣのブラウザによりディスプレイにユーザ画面が表示される（Ｓ１１１）。【選択図】        図５
2006113939.tif 000002
【特許請求の範囲】
【請求項１】
管理者モード画面における管理者による入力に応じて、一般ユーザが見ることができるデバイス情報表示画面に関する項目を設定する項目設定手段と、
一般ユーザが外部端末から要求を行なったことに基づく、デバイス情報表示画面の表示要求を受付ける受付手段と、
前記外部端末のデバイス情報表示画面に表示する項目と表示しない項目とを前記項目設定手段による設定に基づいて決定する決定手段と、
前記受付手段が受付けた要求に応答して、前記決定手段の決定に基づいて、前記外部端末にデバイス情報表示画面を表示する表示手段とを備えた、デバイス情報表示装置。
【請求項２】
前記デバイス情報表示画面において、ユーザに装置設定情報を入力させ、それに基づいてデバイスの設定を行なうデバイス設定手段をさらに備えた、請求項１に記載のデバイス情報表示装置。
【請求項３】
前記項目設定手段は、外部の管理者端末に管理者モード画面を表示させ、管理者による入力を受付ける、請求項１または２に記載のデバイス情報表示装置。
【請求項４】
管理者モード画面における管理者による入力に応じて、一般ユーザが見ることができるデバイス情報表示画面に関する項目を設定する項目設定ステップと、
一般ユーザが外部端末から要求を行なったことに基づく、デバイス情報表示画面の表示要求を受付ける受付ステップと、
前記外部端末のデバイス情報表示画面に表示する項目と表示しない項目とを前記項目設定ステップによる設定に基づいて決定する決定ステップと、
前記受付ステップで受付けた要求に応答して、前記決定ステップの決定に基づいて、前記外部端末にデバイス情報表示画面を表示する表示ステップとをコンピュータに実行させる、デバイス情報表示プログラム。
【請求項５】
前記デバイス情報表示画面において、ユーザに装置設定情報を入力させ、それに基づいてデバイスの設定を行なうデバイス設定ステップをさらにコンピュータに実行させる、請求項４に記載のデバイス情報表示プログラム。
【請求項６】
前記項目設定ステップは、外部の管理者端末に管理者モード画面を表示させ、管理者による入力を受付ける、請求項４または５に記載のデバイス情報表示プログラム。
【発明の詳細な説明】
【技術分野】
【０００１】
この発明は、デバイス情報表示装置およびデバイス情報表示プログラムに関し、特にデバイスに関する情報を外部の端末に表示することができるデバイス情報表示装置およびデバイス情報表示プログラムに関する。
【背景技術】
【０００２】
従来より、ネットワークにＭＦＰ（Multi Function Peripherals）などのデバイスを接続し、同じネットワークに接続されたＰＣ（Personal Computer）からＭＦＰなどのデバイスの情報を取得し、ＰＣのディスプレイにその情報を表示させたり、ＰＣのディスプレイ上でＭＦＰなどのデバイスの設定を行なうシステムが知られている。
【０００３】
そのようなシステムにおいて、管理者以外の者がデバイスの設定を自由に行なうことができるようにするとセキュリティの上で好ましくなく、また、管理者以外の者が見ても意味の無い情報を管理者以外の者に表示することは好ましくない。このため、ＰＣのディスプレイで全員が見ることのできる画面を一旦表示し、その上でパスワード入力を要求することで、その後の画面遷移、あるいは画面遷移後のユーザからのアクセスを許可するかどうかを決めるシステムが提案されている。
【発明の開示】
【発明が解決しようとする課題】
【０００４】
ところが、上述したパスワード入力を要求するシステムでは、パスワードによるアクセス制限を行なう表示がなされるため、ユーザにとっては複雑な画面表示になるという問題がある。特に、複数の種類の項目のそれぞれに対してパスワードによるアクセス制限を行なうようにすると、その個数分のパスワード入力のための表示が必要となる。
【０００５】
また、上述の従来のシステムでは、ＰＣ上での各項目の表示の有無を管理者が個別に制御することができないという問題があった。
【０００６】
この発明は上記目的を達成するためになされたものであり、好ましい表示制御を行なうことができるデバイス情報表示装置、およびデバイス情報表示プログラムを提供することを目的としている。
【課題を解決するための手段】
【０００７】
上記目的を達成するためこの発明のある局面に従うと、デバイス情報表示装置は、管理者モード画面における管理者による入力に応じて、一般ユーザが見ることができるデバイス情報表示画面に関する項目を設定する項目設定手段と、一般ユーザが外部端末から要求を行なったことに基づく、デバイス情報表示画面の表示要求を受付ける受付手段と、外部端末のデバイス情報表示画面に表示する項目と表示しない項目とを項目設定手段による設定に基づいて決定する決定手段と、受付手段が受付けた要求に応答して、決定手段の決定に基づいて、外部端末にデバイス情報表示画面を表示する表示手段とを備える。
【０００８】
好ましくはデバイス情報表示装置は、デバイス情報表示画面において、ユーザに装置設定情報を入力させ、それに基づいてデバイスの設定を行なうデバイス設定手段をさらに備える。
【０００９】
好ましくは項目設定手段は、外部の管理者端末に管理者モード画面を表示させ、管理者による入力を受付ける。
【００１０】
この発明の他の局面に従うと、デバイス情報表示プログラムは、管理者モード画面における管理者による入力に応じて、一般ユーザが見ることができるデバイス情報表示画面に関する項目を設定する項目設定ステップと、一般ユーザが外部端末から要求を行なったことに基づく、デバイス情報表示画面の表示要求を受付ける受付ステップと、外部端末のデバイス情報表示画面に表示する項目と表示しない項目とを項目設定ステップによる設定に基づいて決定する決定ステップと、受付ステップで受付けた要求に応答して、決定ステップの決定に基づいて、外部端末にデバイス情報表示画面を表示する表示ステップとをコンピュータに実行させる。
【００１１】
好ましくはデバイス情報表示プログラムは、デバイス情報表示画面において、ユーザに装置設定情報を入力させ、それに基づいてデバイスの設定を行なうデバイス設定ステップをさらにコンピュータに実行させる。
【００１２】
好ましくは項目設定ステップは、外部の管理者端末に管理者モード画面を表示させ、管理者による入力を受付ける。
【発明の効果】
【００１３】
これらの発明に従うと、管理者モード画面における管理者による入力に応じて、一般ユーザが見ることができるデバイス情報表示画面に関する項目が設定され、外部端末のデバイス情報表示画面に表示する項目と表示しない項目とが設定に基づいて決定される。要求に応答して、決定に基づいて、外部端末にデバイス情報表示画面が表示される。
【００１４】
このような処理により、外部端末のデバイス情報表示画面に表示する項目と表示しない項目とが設定に基づいて決定されるため、好ましい表示制御を行なうことができるデバイス情報表示装置、およびデバイス情報表示プログラムを提供することが可能となる。
【発明を実施するための最良の形態】
【００１５】
図１は、本発明の実施の形態の１つにおける画像形成システムの構成を示す図である。
【００１６】
図を参照して、画像形成システムは、ＭＦＰなどである画像形成装置（画像形成デバイス）１と、端末装置であるクライアントＰＣ２ａ，２ｂ，・・・と、管理者ＰＣ６とから構成される。画像形成装置１、クライアントＰＣ２ａ，２ｂ，・・・、および管理者ＰＣ６は、ネットワークを介して接続されている。
【００１７】
画像形成装置１は、走査した原稿画像や、クライアントＰＣ２ａ，２ｂ、管理者ＰＣ６から送信されたプリントデータから生成した画像の複写画像を用紙上に形成する装置である。
【００１８】
図２は、図１の画像形成装置１のハードウェア構成を示すブロック図である。
【００１９】
図を参照して、画像形成装置１は、装置全体を制御する制御部１０６と、原稿から画像データを読取るイメージリーダ部１０１と、用紙上に画像を印刷するプリンタ部１０２と、近距離の無線通信を行なったり、印刷装置をネットワークや電話回線に接続するための通信部１０３と、ジョブデータや、クライアントＰＣ２ａ，２ｂ、管理者ＰＣ６などのディスプレイに表示するための画像データなどを記憶するための記憶部１０４と、ユーザとのインターフェースである操作パネル１０５と、消耗品の残量などを検出するセンサ部１０７とを含む。
【００２０】
図３は、図１のクライアントＰＣや管理者ＰＣ１台のハードウェア構成を示すブロック図である。
【００２１】
図を参照して、ＰＣは、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００２２】
フレキシブルディスクドライブ６１１により、フレキシブルディスクＦに記録されたプログラムなどのデータを読取ることが可能であり、ＣＤ−ＲＯＭドライブ６１３により、ＣＤ−ＲＯＭ６１３ａに記録されたプログラムなどのデータを読取ることが可能である。
【００２３】
図４は、図１の画像形成装置１とＰＣとの間で行なわれるデータの流れを示す図である。
【００２４】
図を参照して、画像形成装置１の制御部１０６には、コントローラ１５１とＭＦＰ制御部１５５とが含まれている。コントローラ１５１には、Ｗｅｂサーバ１５３が含まれている。ＰＣは、Ｗｅｂサーバ１５３にアクセスすることで画像形成装置の情報を取得し、そのディスプレイに表示を行なう。表示内容を操作することに基づいて画像形成装置の設定が行なわれると、その設定情報はＷｅｂサーバ１５３に送られる。なお、ＰＣのディスプレイで表示される画面としては、ユーザモード画面（デバイス情報表示画面）と管理者モード画面とがある。前者は、一般ユーザの要求に応じて表示される画面であり、画像形成装置の情報を表示し、かつその表示内容に基づいて一般ユーザからの設定入力を受付ける画面である。後者は、管理者のログインに基づいて表示される画面であり、ユーザモード画面で表示させる項目などを管理者が設定するための画面である。
【００２５】
Ｗｅｂサーバ１５３へは、ＭＦＰ制御部１５５を介して最新の装置情報が登録される。また、Ｗｅｂサーバ１５３は、ＭＦＰ制御部１５５を介して装置の設定情報を出力し、これに基づいて画像形成装置の各部の設定が行なわれる。
【００２６】
図５は、ＰＣにおいてユーザモード画面を表示させる処理を示すフローチャートである。
【００２７】
図を参照してステップＳ１０１において、Ｗｅｂサーバ１５３は、一般ユーザによるＰＣからの画面表示要求があったかを判定する。ＹＥＳであれば、ステップＳ１０３において、Ｗｅｂサーバ１５３からＰＣに要求のあったユーザモード画面（一種のメニュー画面）のフレーム（枠）を表示させるデータが送信される。これにより、ＰＣのディスプレイには、ユーザモード画面のフレームが表示される。
【００２８】
ステップＳ１０５でユーザモード画面のメニュー内の特定の項目（これは単数であっても複数であってもよい）の表示が許可されているかが判定される（複数の項目がある場合には、各項目ごとに表示が許可されているか否かが判定される）。ＹＥＳであれば、ステップＳ１０７で、その表示が許可された特定の項目のデータを送信するデータとして準備する。その後、ステップＳ１０９でＰＣにおいて必ず表示する項目のデータを送信するデータとして準備する。
【００２９】
また、ステップＳ１０５でＮＯであれば、ステップＳ１０７での処理を行なわずに、ステップＳ１０９の処理に移行する。これにより、表示が許可されていない項目が含まれないデータが準備されることとなる。
【００３０】
ステップＳ１１１で、準備されたデータがＷｅｂサーバ１５３からＰＣへ送信され、ＰＣのブラウザによりディスプレイにユーザモード画面が表示される。
【００３１】
ステップＳ１０１でＮＯであれば、ステップＳ１１３で管理者ログインの要求がＰＣから画像形成装置に対してあったかが判定される。ＹＥＳであればステップＳ１１５で管理者パスワードの入力を要求し、ステップＳ１１７でパスワードが正しいものであるか（登録されたものと一致するか）が判定される。ＹＥＳであれば、管理者モードに移行する（Ｓ１１９）。
【００３２】
図６は、管理者モードにおける処理を示すフローチャートである。
【００３３】
図を参照して、管理者モードであれば（Ｓ２０１でＹＥＳ）、ステップＳ２０３で、ユーザモード画面に含まれる項目に関し、一般ユーザに対する表示や、一般ユーザにおける設定を許可するか禁止するかを選択する画面（管理者モード画面）をＰＣのディスプレイに表示させる。この画面において管理者は設定を行なう。設定の結果はＰＣから画像処理装置へ送信される。ステップＳ２０５で設定が完了したかが判定される。
【００３４】
このように管理者モードにおいては、ユーザモード画面の各項目毎にそれを表示するか否かを選択できる機能を有する。「表示する」が選択された場合、一般ユーザは該当する項目が表示されるユーザモード画面を見て、デバイスの状態を確認することができ、また、その表示からデバイスの設定値を変更することができる。
【００３５】
一方、管理者が「表示しない」を選択した場合、一般ユーザは該当する項目が表示されないユーザモード画面を見ることになる。項目が表示されないので、一般ユーザはその項目の値を設定することや、変更することもできない。
【００３６】
表示／非表示を設定する項目の例としては、以下のものが考えられる。
【００３７】
・プリンタデフォルト設定値の表示、および変更の許可／禁止
・アドレス帳の表示、および変更の許可／禁止
・アドレス帳の作成の許可／禁止
・アドレス帳の削除の許可／禁止
・メールの件名、本文の作成の許可／禁止
なお、許可／禁止はユーザごと、またはユーザグループごとに設定できるようにしてもよい。
【００３８】
図７は、ユーザモード画面の具体例を示す第１の図である。
【００３９】
図を参照して、一般ユーザがＰＣから画像形成装置にアクセスし、画像形成装置のＷｅｂサーバ１５３から装置情報などがＰＣに送信され、ＰＣの画面にその情報が表示されている状態が示されている。
【００４０】
図８は、ユーザモード画面の具体例を示す第２の図である。
【００４１】
図７の画面右の「スキャナ登録」をユーザが選択することで、図８の表示に移行する。ここでは、スキャナ登録に関する情報の表示、およびスキャナ登録が一般ユーザに対して許可されている場合の表示例を示している。この場合一般ユーザは、図８の画面を参照および操作することでスキャナ登録の情報を確認したり、スキャナ登録の設定を行なったりすることができる。
【００４２】
図９は、ユーザモード画面の具体例を示す第３の図である。
【００４３】
図７の画面右の「スキャナ登録」をユーザが選択することで、図９の表示に移行する。ここでは、スキャナ登録に関する情報の表示、およびスキャナ登録が一般ユーザに対して許可されていない場合の表示例を示している。この場合一般ユーザは、ＰＣの画面からスキャナ登録の情報を確認したり、スキャナ登録の設定を行なったりすることができない。
【００４４】
図１０は、管理者モード画面の具体例を示す図である。
【００４５】
図を参照して、ここではアドレス帳を一般ユーザに表示するか否かの設定を行なう画面の例を示している。「有効」が管理者により選択されたのであれば、ユーザモード画面においてアドレス帳が表示され、その設定を行なうことが許可される。一方、「無効」が管理者により選択されたのであれば、ユーザモード画面においてアドレス帳が表示されず、一般ユーザは、その設定を行なうことができない。
【００４６】
［変形例］
なお、図５および図６のフローチャートでは、ユーザモードから管理者のログインを受付け、管理者モードへ移行することとしたが、管理者モードの処理とユーザモードとの処理を分けてもよい。
【００４７】
図１１は、変形例における管理者モードの処理を示すフローチャートである。
【００４８】
図を参照して、管理者モードであれば（Ｓ３０１でＹＥＳ）、ステップＳ３０３で、ユーザモード画面に含まれる項目に関し、一般ユーザに対する表示や、一般ユーザにおける設定を許可するか禁止するかを選択する画面（管理者モード画面）をＰＣのディスプレイに表示させる。この画面において管理者は設定を行なう。設定の結果はＰＣから画像処理装置へ送信される。ステップＳ３０５で設定が完了したかが判定される。
【００４９】
図１２は、変形例におけるユーザモードの処理を示すフローチャートである。
【００５０】
図を参照してステップＳ４０１において、Ｗｅｂサーバ１５３は、一般ユーザによるＰＣからの画面表示要求があったかを判定する。ＹＥＳであれば、ステップＳ４０３において、ユーザモード画面のメニュー内の特定の項目の表示が許可されているかが判定される。ＹＥＳであれば、ステップＳ４０５でその特定の項目のデータを送信するデータとして準備する。その後、ステップＳ４０７でＰＣにおいて必ず表示する項目のデータを送信するデータとして準備する。
【００５１】
また、ステップＳ４０３でＮＯであれば、ステップＳ４０５での処理を行なわずに、ステップＳ４０７の処理に移行する。これにより、表示が許可されていない項目が含まれないデータが準備されることとなる。
【００５２】
ステップＳ４０９で、準備されたデータがＷｅｂサーバ１５３からＰＣへ送信され、ＰＣのブラウザによりディスプレイにユーザモード画面が表示される。
【００５３】
［実施の形態における効果］
以上説明したように本実施の形態によると、Ｗｅｂなどを経由してアクセスしてくる機器に対して装置情報を表示したり、操作を受付けるシステムにおいて、管理者が設定した条件により、特定の項目の表示や操作の許可や制限を行なうことができる。これにより、一般ユーザの見やすいシンプルな画面を表示することができるという効果がある。
【００５４】
なお、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して装置にダウンロードするようにしてもよい。
【００５５】
また、上述の実施の形態では、画像形成装置としてＭＦＰを例示したが、本発明の画像形成装置はＭＦＰ以外の装置であってもよい。例えば、ネットワーク機能を有したプリンタその他のネットワーク機器など、状態を表示したり、外部からの設定を可能とするデバイスに本願発明を実施することができる。
【００５６】
尚、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５７】
【図１】本発明の実施の形態の１つにおける画像形成システムの構成を示す図である。
【図２】図１の画像形成装置１のハードウェア構成を示すブロック図である。
【図３】図１のＰＣ１台のハードウェア構成を示すブロック図である。
【図４】図１の画像形成装置１とＰＣとの間で行なわれるデータの流れを示す図である。
【図５】ＰＣにおいてユーザモード画面を表示させる処理を示すフローチャートである。
【図６】管理者モードにおける処理を示すフローチャートである。
【図７】ユーザモード画面の具体例を示す第１の図である。
【図８】ユーザモード画面の具体例を示す第２の図である。
【図９】ユーザモード画面の具体例を示す第３の図である。
【図１０】管理者モード画面の具体例を示す図である。
【図１１】変形例における管理者モードの処理を示すフローチャートである。
【図１２】変形例におけるユーザモードの処理を示すフローチャートである。
【符号の説明】
【００５８】
１  画像形成装置、２ａ，２ｂ  クライアントＰＣ、１０６  制御部、１０２  プリンタ部、１０３  通信部、１０４  記憶部、１０５  操作パネル、６０１  ＣＰＵ。
【図１】
2006113939.tif 000003
【図２】
2006113939.tif 000004
【図３】
2006113939.tif 000005
【図４】
2006113939.tif 000006
【図５】
2006113939.tif 000007
【図６】
2006113939.tif 000008
【図７】
2006113939.tif 000009
【図８】
2006113939.tif 000010
【図９】
2006113939.tif 000011
【図１０】
2006113939.tif 000012
【図１１】
2006113939.tif 000013
【図１２】
2006113939.tif 000014